(57)【要約】【課題】  ＲＴＰパケットの経路を最適化し、故障時にも通話を維持すること等が可能なＩＰ電話システムを提供する。【解決手段】  ＳＩＰサーバ１００は、アドレス変換情報を呼毎にＶｏＩＰ用アドレス変換装置１０１に通知し、アドレス変換装置は、プライベートＩＰ網１０４側からのＳＩＰメッセージをグローバルＩＰ網１０５側のＩＰアドレスに変換し、グローバルＩＰ網側からのＳＩＰメッセージをプライベートＩＰ網側のＩＰアドレスに変換し、同一のプライベートＩＰ網に接続されたＩＰ電話端末１０８同士で通信する場合には、単一のアドレス変換装置を介して端末同士で直接通信するように設定し、複数のプライベートＩＰ網に跨って接続された端末同士で通信する場合には、単一のアドレス変換装置を介して端末同士で直接通信するようにするか、複数のアドレス変換装置を連携させ、グローバル網を介して端末同士で通信する。【選択図】  図１
2005072817.tif 000002
【特許請求の範囲】
【請求項１】
グローバルＩＰ網に接続されるＳＩＰサーバと、前記グローバルＩＰ網とプライベートＩＰ網とに接続されるＶｏＩＰ用アドレス変換装置と、前記グローバルＩＰ網及びプライベートＩＰ網に接続されるＩＰ電話端末とで構成されるＩＰ電話システムにおいて、
前記ＳＩＰサーバは、アドレス変換情報を呼毎に前記ＶｏＩＰ用アドレス変換装置に通知し、
前記ＶｏＩＰ用アドレス変換装置は、前記プライベートＩＰ網側からのＳＩＰメッセージを前記グローバルＩＰ網側のＩＰアドレスに変換し、前記グローバルＩＰ網側からのＳＩＰメッセージを前記プライベートＩＰ網側のＩＰアドレスに変換し、
同一のプライベートＩＰ網に接続されたＩＰ電話端末同士で通信する場合には、単一の前記ＶｏＩＰ用アドレス変換装置を介してＩＰ電話端末同士で直接通信するように設定し、
複数のプライベートＩＰ網に跨って接続されたＩＰ電話端末同士で通信する場合には、単一の前記ＶｏＩＰ用アドレス変換装置を介してＩＰ電話端末同士で直接通信するようにするか、複数の前記ＶｏＩＰ用アドレス変換装置を連携させ、前記グローバル網を介してＩＰ電話端末同士で通信することを特徴とするＩＰ電話システム。
【請求項２】
前記プライベートＩＰ網が端末間のデータ転送を禁止するポリシを有する網である場合には、前記単一のＶｏＩＰ用アドレス変換装置でＲＴＰパケットを折り返す設定を行うことを特徴とする請求項１記載のＩＰ電話システム。
【請求項３】
前記アドレス変換情報を制御するプロトコルがＶＬＡＮに対応することを特徴とする請求項１または２記載のＩＰ電話システム。
【請求項４】
グローバルＩＰ網に接続されるＳＩＰサーバと、前記グローバルＩＰ網とプライベートＩＰ網とに並列して接続される複数のＶｏＩＰ用アドレス変換装置と、前記グローバルＩＰ網及びプライベートＩＰ網に接続されるＩＰ電話端末とで構成されるＩＰ電話システムにおいて、
前記ＳＩＰサーバは、アドレス変換情報を呼毎に前記ＶｏＩＰ用アドレス変換装置に通知し、
前記ＶｏＩＰ用アドレス変換装置は、前記プライベートＩＰ網側からのＳＩＰメッセージを前記グローバルＩＰ網側のＩＰアドレスに変換し、前記グローバルＩＰ網側からのＳＩＰメッセージを前記プライベートＩＰ網側のＩＰアドレスに変換し、
同一のプライベートＩＰ網に接続されたＩＰ電話端末同士で通信する場合には、単一の前記ＶｏＩＰ用アドレス変換装置を介してＩＰ電話端末同士で直接通信するように設定し、
前記複数のＶｏＩＰ用アドレス変換装置の一つが異常である場合には、他のＶｏＩＰ用アドレス変換装置に前記アドレス変換情報を転送して呼を迂回させることを特徴とするＩＰ電話システム。
【請求項５】
グローバルＩＰ網とプライベートＩＰ網とに接続されるＶｏＩＰ用アドレス変換装置であって、
前記グローバルＩＰ網に接続されるＳＩＰサーバから通知された呼毎のアドレス変換情報に基づいて、前記プライベートＩＰ網側からのＳＩＰメッセージを前記グローバルＩＰ網側のＩＰアドレスに変換し、前記グローバルＩＰ網側からのＳＩＰメッセージを前記プライベートＩＰ網側のＩＰアドレスに変換し、
同一のプライベートＩＰ網に接続されたＩＰ電話端末同士で通信する場合には、単一の該ＶｏＩＰ用アドレス変換装置を介してＩＰ電話端末同士で直接通信するように設定し、
複数のプライベートＩＰ網に跨って接続されたＩＰ電話端末同士で通信する場合には、単一の該ＶｏＩＰ用アドレス変換装置を介してＩＰ電話端末同士で直接通信させるようにするか、複数の該ＶｏＩＰ用アドレス変換装置を連携させ、前記グローバル網を介してＩＰ電話端末同士で通信させることを特徴とするＶｏＩＰ用アドレス変換装置。
【請求項６】
前記プライベートＩＰ網が端末間のデータ転送を禁止するポリシを有する網である場合には、前記単一のＶｏＩＰ用アドレス変換装置でＲＴＰパケットを折り返す設定を行うことを特徴とする請求項５記載のＶｏＩＰ用アドレス変換装置。
【請求項７】
グローバルＩＰ網とプライベートＩＰ網とに並列して接続される複数のＶｏＩＰ用アドレス変換装置を備えたＶｏＩＰ用アドレス変換システムであって、
前記グローバルＩＰ網に接続されるＳＩＰサーバから通知された呼毎のアドレス変換情報に基づいて、前記プライベートＩＰ網側からのＳＩＰメッセージを前記グローバルＩＰ網側のＩＰアドレスに変換し、前記グローバルＩＰ網側からのＳＩＰメッセージを前記プライベートＩＰ網側のＩＰアドレスに変換し、
前記複数のＶｏＩＰ用アドレス変換装置の一つが異常である場合には、他のＶｏＩＰ用アドレス変換装置に前記アドレス変換情報を転送して呼を迂回させることを特徴とするＶｏＩＰ用アドレス変換システム。
【請求項８】
グローバルＩＰ網に接続されるＳＩＰサーバであって、前記グローバルＩＰ網とプライベートＩＰ網とに接続されるＶｏＩＰ用アドレス変換装置に、アドレス変換情報を呼毎に通知することを特徴とするＳＩＰサーバ。
【発明の詳細な説明】
【技術分野】
【０００１】
本発明は、ＩＰ電話システムに関し、特に、ＳＩＰサーバとＶｏＩＰ用アドレス変換装置が連携してＲＴＰパケットを制御するＩＰ電話システムに関する。
【背景技術】
【０００２】
従来のＶｏＩＰ（Voice Over IP）網におけるグローバル網とプライベート網の加入者間のＩＰ電話システムは、ＳＩＰ（Session Initiation Protocol）サーバとアドレス変換装置（ＮＡＴ（Network Address Transration）もしくはＮＡＰＴ（Network Address Port Translation）機能を有するルータ）及びＩＰ電話端末により構成されている。
【０００３】
このような構成を有する従来のＩＰ電話システムにおいて、アドレス変換装置は、静的なアドレス変換パターンを備え、固定的なＲＴＰ（Realtime Transport Protocol）パケットのルーチングを行う。また、ＩＰ電話端末毎に、使用するアドレス変換装置が固定されている。
【発明の開示】
【発明が解決しようとする課題】
【０００４】
しかし、上記従来のＩＰ電話システムにおいては、以下のような問題点があった。
【０００５】
第１に、音声用のＲＴＰパケットもＵＤＰ（User Datagram Protocol）のデータパケットであるため、ケーブルテレビ網のように、隣接するデータ端末同士のデータの転送を禁止するネットワークポリシにより、パーソナルコンピュータ等のデータ端末同士のデータ転送が禁止されているネットワーク内では、ＩＰ電話端末同士で直接ＲＴＰパケットの送受信をすることができないという問題があった。
【０００６】
ここで、上記問題点を解決しようとして、すべてのＲＴＰパケットを一度アドレス変換装置を介して送受信すると、アドレス変換装置周辺に偏ってネットワークのパケットトラフィックが上昇するため、ネットワークを効率良く使用することができないという問題があった。
【０００７】
第２に、ＳＩＰでは、ＲＴＰパケット用の通信ポートが呼毎に可変であるため、使用される可能性のあるすべての通信ポートに対して静的にアドレス変換パターンを設定すると、プライベート網のセキュリティが脆弱になる問題があるとともに、設定に手間がかかる。また、呼毎に制御すると、ＳＩＰサーバと同レベルの仕組みが必要になり、処理速度の低下を招くため、アドレス変換装置に障害が発生した場合には、通信中の呼の維持が困難になるという問題があった。
【０００８】
第３に、ＳＩＰサーバからアドレス変換装置を呼毎に遠隔操作するＭＩＤＣＯＭ（Middlebox Communication）プロトコルがＶＬＡＮ（Virtual LAN)には対応していないため、ＳＩＰサーバからアドレス変換装置を遠隔操作する場合には、複数のプライベート網を一つのアドレス変換装置にＶＬＡＮで集約して収容することができないという問題があった。これにより、プライベート網は、その網に閉じたＩＰアドレスの割付を行っているため、他のプライベート網と接続して通信を行う場合には、アドレスが重複する可能性があり、一度グローバル網のＩＰアドレスに変えた上での接続となる。そのような接続では、アドレス変換装置が複数台設置されることになるため、複数のプライベート網に跨ったＩＰ電話網を構築する場合には、アドレス変換装置のコストが上昇するという問題があった。
【０００９】
そこで、本発明は、上記従来のＩＰ電話システムにおける問題点に鑑みてなされたものであって、ＲＴＰパケットの経路を最適化することができ、故障時にも通話を維持することができ、ＶＬＡＮに接続している時でも、ＳＩＰサーバより動的にアドレス変換情報を制御すること等が可能なＩＰ電話システムを提供することを目的とする。
【課題を解決するための手段】
【００１０】
上記目的を達成するため、本発明は、グローバルＩＰ網に接続されるＳＩＰサーバと、前記グローバルＩＰ網とプライベートＩＰ網とに接続されるＶｏＩＰ用アドレス変換装置と、前記グローバルＩＰ網及びプライベートＩＰ網に接続されるＩＰ電話端末とで構成されるＩＰ電話システムにおいて、前記ＳＩＰサーバは、アドレス変換情報を呼毎に前記ＶｏＩＰ用アドレス変換装置に通知し、前記ＶｏＩＰ用アドレス変換装置は、前記プライベートＩＰ網側からのＳＩＰメッセージを前記グローバルＩＰ網側のＩＰアドレスに変換し、前記グローバルＩＰ網側からのＳＩＰメッセージを前記プライベートＩＰ網側のＩＰアドレスに変換し、同一のプライベートＩＰ網に接続されたＩＰ電話端末同士で通信する場合には、単一の前記ＶｏＩＰ用アドレス変換装置を介してＩＰ電話端末同士で直接通信するように設定し、複数のプライベートＩＰ網に跨って接続されたＩＰ電話端末同士で通信する場合には、単一の前記ＶｏＩＰ用アドレス変換装置を介してＩＰ電話端末同士で直接通信するようにするか、複数の前記ＶｏＩＰ用アドレス変換装置を連携させ、前記グローバル網を介してＩＰ電話端末同士で通信することを特徴とする。
【００１１】
そして、本発明によれば、同一のプライベートＩＰ網に接続されたＩＰ電話端末同士で通信する場合、及び、複数のプライベートＩＰ網に跨って接続されたＩＰ電話端末同士で通信する場合には、単一のＶｏＩＰ用アドレス変換装置を介して直接通信するか、複数の前記ＶｏＩＰ用アドレス変換装置を連携させ、前記グローバル網を介してＩＰ電話端末同士で通信することができる。
【００１２】
前記ＩＰ電話システムにおいて、前記プライベートＩＰ網が端末間のデータ転送を禁止するポリシを有する網である場合には、前記単一のＶｏＩＰ用アドレス変換装置でＲＴＰパケットを折り返す設定を行うようにすることができる。
【００１３】
これによって、パーソナルコンピュータ端末同士のデータ転送が禁止されているネットワーク内でも、ＩＰ電話端末では通話することができ、ＳＩＰサーバとＶｏＩＰ用アドレス変換装置が連携してＩＰ端末の収容形態を意識したＲＴＰの制御を行うことができるため、プライベート網に跨ったＩＰ電話網においてＲＴＰパケットの経路を呼毎に最適化することができる。
【００１４】
前ＩＰ電話システムにおいて、前記アドレス変換情報を制御するプロトコルがＶＬＡＮに対応するようにすることができる。これによって、ＶＬＡＮに接続している時でも、ＳＩＰサーバより動的にアドレス変換情報を制御することができる。
【００１５】
また、本発明は、グローバルＩＰ網に接続されるＳＩＰサーバと、前記グローバルＩＰ網とプライベートＩＰ網とに並列して接続される複数のＶｏＩＰ用アドレス変換装置と、前記グローバルＩＰ網及びプライベートＩＰ網に接続されるＩＰ電話端末とで構成されるＩＰ電話システムにおいて、前記ＳＩＰサーバは、アドレス変換情報を呼毎に前記ＶｏＩＰ用アドレス変換装置に通知し、前記ＶｏＩＰ用アドレス変換装置は、前記プライベートＩＰ網側からのＳＩＰメッセージを前記グローバルＩＰ網側のＩＰアドレスに変換し、前記グローバルＩＰ網側からのＳＩＰメッセージを前記プライベートＩＰ網側のＩＰアドレスに変換し、同一のプライベートＩＰ網に接続されたＩＰ電話端末同士で通信する場合には、単一の前記ＶｏＩＰ用アドレス変換装置を介してＩＰ電話端末同士で直接通信するように設定し、前記複数のＶｏＩＰ用アドレス変換装置の一つが異常である場合には、他のＶｏＩＰ用アドレス変換装置に前記アドレス変換情報を転送して呼を迂回させることを特徴とする。
【００１６】
本発明によれば、ＳＩＰサーバとＶｏＩＰ用アドレス変換装置が連携することにより、ＶｏＩＰ用アドレス変換装置及びその装置に接続する回線の生死チェックを行い、動的に通話中の呼のアドレス変換情報をＶｏＩＰ用アドレス変換装置に転送することで呼の迂回が可能なため、通話に使用しているＶｏＩＰ用アドレス変換装置が故障しても、他の正常なＶｏＩＰ用アドレス変換装置に切り替えて通話中の呼を維持することができる。
【００１７】
さらに、本発明は、グローバルＩＰ網とプライベートＩＰ網とに接続されるＶｏＩＰ用アドレス変換装置であって、前記グローバルＩＰ網に接続されるＳＩＰサーバから通知された呼毎のアドレス変換情報に基づいて、前記プライベートＩＰ網側からのＳＩＰメッセージを前記グローバルＩＰ網側のＩＰアドレスに変換し、前記グローバルＩＰ網側からのＳＩＰメッセージを前記プライベートＩＰ網側のＩＰアドレスに変換し、同一のプライベートＩＰ網に接続されたＩＰ電話端末同士で通信する場合には、単一の該ＶｏＩＰ用アドレス変換装置を介してＩＰ電話端末同士で直接通信するように設定し、複数のプライベートＩＰ網に跨って接続されたＩＰ電話端末同士で通信する場合には、単一の該ＶｏＩＰ用アドレス変換装置を介してＩＰ電話端末同士で直接通信させるようにするか、複数の該ＶｏＩＰ用アドレス変換装置を連携させ、前記グローバル網を介してＩＰ電話端末同士で通信させることを特徴とする。このＶｏＩＰ用アドレス変換装置と、前記ＳＩＰサーバとを連携させることにより、上述のように、同一のプライベートＩＰ網に接続されたＩＰ電話端末同士で通信する場合、及び、複数のプライベートＩＰ網に跨って接続されたＩＰ電話端末同士で通信する場合には、単一のＶｏＩＰ用アドレス変換装置を介して直接通信するか、複数の前記ＶｏＩＰ用アドレス変換装置を連携させ、前記グローバル網を介してＩＰ電話端末同士で通信することができる。
【００１８】
前記ＶｏＩＰ用アドレス変換装置において、前記プライベートＩＰ網が端末間のデータ転送を禁止するポリシを有する網である場合には、前記単一のＶｏＩＰ用アドレス変換装置でＲＴＰパケットを折り返す設定を行うようにすることができる。これによって、パーソナルコンピュータ端末同士のデータ転送が禁止されているネットワーク内でも、ＩＰ電話端末同士で通話することができ、ＩＰ端末の収容形態を意識したＲＴＰの制御を行うことができ、プライベート網に跨ったＩＰ電話網においてＲＴＰパケットの経路を呼毎に最適化することができる。
【００１９】
また、本発明は、グローバルＩＰ網とプライベートＩＰ網とに並列して接続される複数のＶｏＩＰ用アドレス変換装置を備えたＶｏＩＰ用アドレス変換システムであって、前記グローバルＩＰ網に接続されるＳＩＰサーバから通知された呼毎のアドレス変換情報に基づいて、前記プライベートＩＰ網側からのＳＩＰメッセージを前記グローバルＩＰ網側のＩＰアドレスに変換し、前記グローバルＩＰ網側からのＳＩＰメッセージを前記プライベートＩＰ網側のＩＰアドレスに変換し、前記複数のＶｏＩＰ用アドレス変換装置の一つが異常である場合には、他のＶｏＩＰ用アドレス変換装置に前記アドレス変換情報を転送して呼を迂回させることを特徴とする。このＶｏＩＰ用アドレス変換装置と、前記ＳＩＰサーバとを連携させることにより、ＶｏＩＰ用アドレス変換装置及びその装置に接続する回線の生死チェックを行い、動的に通話中の呼のアドレス変換情報をＶｏＩＰ用アドレス変換装置に転送することで呼の迂回が可能なため、通話に使用しているＶｏＩＰ用アドレス変換装置が故障しても、他の正常なＶｏＩＰ用アドレス変換装置に切り替えて通話中の呼を維持することができる。
【００２０】
さらに、本発明は、グローバルＩＰ網に接続されるＳＩＰサーバであって、前記グローバルＩＰ網とプライベートＩＰ網とに接続されるＶｏＩＰ用アドレス変換装置に、アドレス変換情報を呼毎に通知することを特徴とする。このＳＩＰサーバと前記ＶｏＩＰ用アドレス変換装置等を連携させることにより、ＲＴＰパケットの経路の最適化等が可能となる。
【発明の効果】
【００２１】
以上説明したように、本発明によれば、ＲＴＰパケットの経路を最適化することができ、故障時にも通話を維持することができ、ＶＬＡＮに接続している時でも、ＳＩＰサーバより動的にアドレス変換情報を制御すること等が可能なＩＰ電話システムを提供することができる。
【発明を実施するための最良の形態】
【００２２】
図１は、本発明にかかるＩＰ電話システムの第１の実施の形態を示し、このＩＰ電話システムは、ＳＩＰの呼を制御するＳＩＰサーバ１００と、ＶｏＩＰ用アドレス変換装置１０１とを備える。ＳＩＰサーバ１００は、グローバルＩＰ網１０５に接続され、ＶｏＩＰ用アドレス変換装置１０１は、グローバルＩＰ網１０５とプライベートＩＰ網１０４とに接続される。ＳＩＰサーバ１００とＶｏＩＰ用アドレス変換装置１０１とは、ＭＩＤＣＯＭプロトコルを実装する。また、ＶｏＩＰ用アドレス変換装置１０１は、ＳＩＰメッセージを解析する機能を有する。グローバルＩＰ網１０５とプライベートＩＰ網１０４には、各々ＩＰ電話端末１０８が接続される。
【００２３】
ＶｏＩＰ用アドレス変換装置１０１は、プライベートＩＰ網１０４側からのＳＩＰメッセージをグローバルＩＰ網１０５側のＩＰアドレスに変換し、グローバルＩＰ網１０５側からのＳＩＰメッセージをプライベートＩＰ網１０４側のＩＰアドレスに変換する。ＳＩＰサーバ１００は、アドレス変換情報１０６を呼毎にＶｏＩＰ用アドレス変換装置１０１に、ＭＩＤＣＯＭプロトコルにより通知する。
【００２４】
次に、図１を参照しながら上記構成を有するＩＰ電話システムの全体の動作について詳細に説明する。
【００２５】
（１）ＩＰ電話端末１０８の登録
（１−１）ＳＩＰサーバ１００へのＩＰ電話端末１０８登録時の動作
ＳＩＰサーバ１００には、「変換後のグローバルＩＰアドレス＋ポート番号」をＩＰ電話端末１０８のアドレスとして登録する。その時、ＳＩＰサーバ１００からＶｏＩＰ用アドレス変換装置１０１に対して、登録したＩＰ電話端末１０８用のアドレス変換情報１０６（ＩＰ電話端末１０８のプライベートＩＰアドレスと、変換後のグローバルＩＰアドレス＋ポート番号）をＭＩＤＣＯＭプロトコルで通知する。ここでは、変換後のグローバルＩＰアドレス＝ＶｏＩＰ用アドレス変換装置１０１のグローバルＩＰ網１０５側のＩＰアドレスとする。この動作により、動的に、登録したＩＰ電話端末１０８だけに使用することのできるＳＩＰのシグナリング用のアドレス変換情報１０６がＶｏＩＰ用アドレス変換装置１０１に設定される。尚、上記動作は、ＩＰ電話端末１０８をＳＩＰサーバ１００に登録する度に実施する。
【００２６】
（１−２）ＩＰ電話端末１０８の設定
ＩＰ電話端末１０８は、ＳＩＰサーバ１００のアドレスとして、ＶｏＩＰ用アドレス変換装置１０１のプライベートＩＰ網１０４側のＩＰアドレスを登録する。
【００２７】
（２）ＩＰ電話端末１０８とＳＩＰサーバ１００との間の信号
（２−１）プライベートＩＰ網１０４のＩＰ電話端末１０８からＳＩＰサーバ１００方向への信号
【００２８】
先の動作により登録された、プライベートＩＰ網１０４のＩＰ電話端末１０８から送信された信号は、ＳＩＰサーバ１００のアドレスとしてＶｏＩＰ用アドレス変換装置１０１のアドレスが登録されているため、ＶｏＩＰ用アドレス変換装置１０１に送信される。
【００２９】
ＶｏＩＰ用アドレス変換装置１０１では、ＩＰ電話端末１０８の登録時にＳＩＰサーバ１００より通知されたアドレス変換情報１０６を使用して信号のＩＰヘッダ及びＳＩＰメッセージ中のＩＰアドレス情報をすべてグローバルＩＰ網１０５側のＩＰアドレスに変換し、ＳＩＰサーバ１００宛に信号を送信する。
【００３０】
（２−２）ＳＩＰサーバ１００からプライベートＩＰ網１０４のＩＰ電話端末１０８方向への信号
ＳＩＰサーバ１００には、「変換後のグローバルＩＰアドレス＋ポート番号」がＩＰ電話端末１０８のアドレスとして登録されているため、ＳＩＰサーバ１００からＩＰ電話端末１０８に信号を送信するには、ＶｏＩＰ用アドレス変換装置１０１の特定ポート番号に信号を送信することになる。
【００３１】
ＳＩＰサーバ１００からの信号を受信したＶｏＩＰ用アドレス変換装置１０１は、（２−１）の逆の倫理で信号のＩＰヘッダ及びＳＩＰメッセージ中のＩＰアドレス情報をすべてプライベートＩＰ網１０４側のＩＰアドレスに変換し、該当するＩＰ電話端末１０８宛に送信する。
【００３２】
（３）ＲＴＰパケットの経路の変更
ＲＴＰパケットの経路は、ＳＩＰサーバ１００でＳＩＰメッセージ中のＳＤＰ情報の”ｃ＝”を操作することにより行う。ＳＤＰ情報の”ｃ＝”には、メディア（音声）用のパケットの受信アドレスが格納されている。
【００３３】
（４）ＲＴＰパケットルートの設定論理
（４−１）端末間のデータ転送を禁止するポリシを有する網
単一のＶｏＩＰ用アドレス変換装置１０１でＲＴＰパケットを折り返す設定を行う。ＳＤＰ情報の”ｃ＝”をＶｏＩＰ用アドレス変換装置１０１のプライベート網１０４側のＩＰアドレスとし、ＶｏＩＰ用アドレス変換装置１０１内で各々のＩＰヘッダを付け替えることにより、呼を分割することなしにＲＴＰパケットの折り返しを実現する。
【００３４】
（４−２）その他の形態の網の同一プライベート網１０４内の通話
端末同士で直接通信する設定を行う。ＳＤＰ情報の”ｃ＝”はそのまま相手端末のアドレスを使用する。
【００３５】
（４−３）その他の形態の網のプライベート網１０４に跨る通話
トラフィックの空いている適当なＶｏＩＰ用アドレス変換装置１０１を選択する設定を行う。ＳＩＰサーバ１００で、各ＶｏＩＰ用アドレス変換装置１０１で転送処理を行っているＲＴＰパケットのセッション数及び呼毎の使用状況を管理することで実現する。セッション数の許す限り（４−１）の形態の接続を選択する。（４−１）の形態の接続に使用できるセッションが確保できない時のみ、ＶｏＩＰ用アドレス変換装置１０１を２台連携させて、グローバル網１０５経由のＲＴＰパケット転送を行う。この場合、ＳＤＰ情報の”ｃ＝”は、各ＶｏＩＰ用アドレス変換装置１０１のグローバル網１０５側アドレスを設定する。
【００３６】
（５）ＲＴＰパケット用のアドレス変換情報設定
ＲＴＰパケット用のアドレス変換情報１０６のＶｏＩＰ用アドレス変換装置１０１への設定は、ＳＤＰ情報を含むＳＩＰメッセージをＳＩＰサーバ１００が受信した直後にＭＩＤＣＯＭプロトコルを使用して行う。通常のＳＩＰメッセージでは、ＩＮＶＩＴＥと２００  ＯＫにＳＤＰ情報が含まれているため、これらの信号をＳＩＰサーバ１００が受信したタイミングで行うことになる。
【００３７】
ＩＮＶＩＴＥ信号受信時には、着端末から発端末方向へのアドレス変換情報、２００  ＯＫ信号受信時には、発端末から着端末方向へのアドレス変換情報がＶｏＩＰ用アドレス変換装置１０１に設定され、以後、ＲＴＰパケットのアドレス変換が可能になる。これらのアドレス変換情報は、終話時に、ＭＩＤＣＯＭプロトコルにてＳＩＰサーバ１００からの通知で削除する。
【００３８】
図２は、本発明にかかるＩＰ電話システムの第２の実施の形態を示し、このＩＰ電話システムは、ＳＩＰの呼を制御するＳＩＰサーバ１００と、複数台のＶｏＩＰ用アドレス変換装置１０１とを備える。ＳＩＰサーバ１００は、グローバルＩＰ網１０５に接続され、ＶｏＩＰ用アドレス変換装置１０１は、グローバルＩＰ網１０５とプライベートＩＰ網１０４との境界に複数台が並列に接続される。複数台のＶｏＩＰ用アドレス変換装置１０１は、各々がホットスタンバイ状態で動作している。複数台のＶｏＩＰ用アドレス変換装置１０１は、フローティングＩＰ機構により、ＩＰ電話端末１０８からは同一アドレスに見えるようになっている。ＳＩＰサーバ１００は、ＶｏＩＰ用アドレス変換装置１０１の生死状態の監視機能１０７を有する。ＳＩＰサーバ１００とＶｏＩＰ用アドレス変換装置１０１は、ＭＩＤＣＯＭプロトコルを実装する。また、ＶｏＩＰ用アドレス変換装置１０１は、ＳＩＰメッセージを解析する機能を有する。グローバルＩＰ網１０５とプライベートＩＰ網１０４には、各々ＩＰ電話端末１０８が接続される。
【００３９】
ＶｏＩＰ用アドレス変換装置１０１が正常な場合には、予め定められたＩＰ電話端末１０８とＶｏＩＰ用アドレス変換装置１０１の組み合わせで信号を送受信する。
【００４０】
生死状態の監視機能１０７、もしくはＭＩＤＣＯＭプロトコルのメッセージにより、ＶｏＩＰ用アドレス変換装置１０１の異常をＳＩＰサーバ１００が検出した場合には、図３に示すように、正常な残りのアドレス変換装置１０１にＭＩＤＣＯＭプロトコルによりアドレス変換情報１０６を転送して呼を迂回させる。
【００４１】
次に、上記構成を有するＩＰ電話システムの動作について、図２及び図３を参照して詳細に説明する。
【００４２】
（１）ＩＰ電話端末１０８の登録
（１−１）ＳＩＰサーバ１００へのＩＰ電話端末１０８登録時の動作
ＳＩＰサーバ１００は、ＩＰ電話端末１０８を登録する時に、ＶｏＩＰ用アドレス変換装置１０１に対して、ＭＩＤＣＯＭプロトコルでプライベートＩＰアドレスとグローバルのＩＰアドレス＋ポートの変換情報を通知する。この動作は、ＩＰ電話端末１０８をＳＩＰサーバ１００に登録する度に実施する。複数のＶｏＩＰ用アドレス変換装置１０１が接続されているため、配下のプライベート網１０４の構成に応じて、各アドレス変換装置に適当に分配する。この分配論理は、端末間のデータ転送を禁止するポリシを有する網では、ＩＰ電話端末１０８のＩＰアドレス変換情報を同一のＶｏＩＰ用アドレス変換装置１０１に割り振る。他の形態の網では、ＩＰ電話端末１０８のＩＰアドレス変換情報を均一に各ＶｏＩＰ用アドレス変換装置１０１に割り振る。
【００４３】
（１−２）ＩＰ電話端末１０８の設定
ＩＰ電話端末１０８は、ＳＩＰサーバ１００のアドレスとして、各ＶｏＩＰ用アドレス変換装置１０１のフローティングＩＰアドレスを登録する。
【００４４】
（２）ＩＰ電話端末１０８とＳＩＰサーバ１００との間の信号
（２−１）プライベートＩＰ網１０４のＩＰ電話端末１０８からＳＩＰサーバ１００方向への信号
【００４５】
複数のＶｏＩＰ用アドレス変換装置１０１を束ねるプライベート網１０４側のルータには、接続されているすべてのＶｏＩＰ用アドレス変換装置１０１にＳＩＰのシグナリング（ポート５０６０）をマルチキャストするような設定をしておく。
【００４６】
先の動作により登録された、プライベート網１０４のＩＰ電話端末１０８から送信された信号は、ルータにより各ＶｏＩＰ用アドレス変換装置１０１にマルチキャストされる。ＳＩＰサーバ１００から該当ＩＰ電話端末１０８のアドレス変換情報を受信しているＶｏＩＰ用アドレス変換装置１０１だけが信号をグローバルアドレスに変換（他のＶｏＩＰ用アドレス変換装置１０１では廃棄）し、ＳＩＰサーバ１００宛に信号を送信する。これにより、ＩＰ電話端末１０８は、複数台並列で設置された各ＶｏＩＰ用アドレス変換装置１０１の各々のＩＰアドレスを意識しないで動作できるようになる。
【００４７】
信号を受信したＳＩＰサーバ１００は、接続先のＩＰ電話端末１０８の収容情報より最適なＲＴＰパケットのルートを求め、ＳＩＰ信号のＳＤＰ情報の書き換えを行う。ＳＤＰ情報の書き換え論理は、端末間のデータ転送を禁止するポリシを有する網では、単一のＶｏＩＰ用アドレス変換装置１０１で折り返すように、その他の形態で同一プライベート網１０４内の通話では端末同士で直接通信するように、プライベート網１０４に跨る通話の場合には、トラフィックの空いているＶｏＩＰ用アドレス変換装置１０１を選択するようにする。
【００４８】
ＩＰ電話端末１０８のＲＴＰパケットの経路がＶｏＩＰ用アドレス変換装置１０１を経由するルートの場合は、アドレス変換情報をＭＩＤＣＯＭプロトコルにて該当する各ＶｏＩＰ用アドレス変換装置１０１に通知する。
【００４９】
（２−２）ＳＩＰサーバ１００からプライベートＩＰ網１０４のＩＰ電話端末１０８方向への信号
ＳＩＰサーバ１００は、最適なＲＴＰパケットのルート確定後、着信先のプライベート網１０４にあるＩＰ電話端末１０８に対して端末登録時に割付済みのＶｏＩＰ用アドレス変換装置１０１を経由して信号を送信する。この時、信号のアドレス情報は、ＶｏＩＰ用アドレス変換装置１０１にてプライベートＩＰアドレスに変換される。着側端末の応答時には上記と逆の流れで処理が行われる。
【００５０】
（３）ＶｏＩＰ用アドレス変換装置１０１故障時の動作
ＶｏＩＰ用アドレス変換装置１０１が自装置の故障を検出した場合には、ＭＩＤＣＯＭプロトコルによりＳＩＰサーバ１００に障害の情報が通知される。また、ＳＩＰサーバ１００が生死状態の監視機能１０７により、ＶｏＩＰ用アドレス変換装置１０１の故障を検出する場合もある。障害通知を受信もしくは検出したＳＩＰサーバ１００は、正常な他のＶｏＩＰ用アドレス変換装置１０１を選択し、まず選択したＶｏＩＰ用アドレス変換装置１０１にアドレス変換情報１０６をＭＩＤＣＯＭプロトコルにより転送する。次に、通信中のＩＰ電話端末１０８にＲＴＰパケットの送信先を切り替えるＲｅ−ＩＮＶＩＴＥの信号を送信する。
【００５１】
図４は、本発明にかかるＩＰ電話システムの第３の実施の形態を示し、このＩＰ電話システムは、図１のアドレス変換装置１０１のプライベート網１０４側に複数のプライベート網１０９〜１１１をルータ等によりＶＬＡＮ１１２に集約された形態で接続している。ＳＩＰの呼を制御するＳＩＰサーバ１００とＶｏＩＰ用アドレス変換装置１０１とは、ＭＩＤＣＯＭプロトコルをＶＬＡＮタグ対応に拡張したものを実装している。
【００５２】
次に、上記構成を有するＩＰ電話システムの動作について、図４を参照しながら説明する。
【００５３】
本実施の形態と第２の実施形態との違いは、ＶｏＩＰ用アドレス変換装置１０１のプライベート網１０９〜１１１側がＶＬＡＮになっている点である。ＳＩＰサーバ１００からＶｏＩＰ用アドレス変換装置１０１にアドレス変換情報を送信しているＭＩＤＣＯＭプロトコルは、アドレス変換情報をＩＰアドレス＋ポート番号で表している。これでは各プライベート網１０９〜１１１で重複したＩＰアドレスアサインはできないため、ＭＩＤＣＯＭプロトコルをＶＬＡＮ対応に拡張する。アドレス変換情報を示す要素は、ＶＬＡＮタグ＋ＩＰアドレス＋ポート番号となる。
【図面の簡単な説明】
【００５４】
【図１】本発明にかかるＩＰ電話システムの第１の実施の形態の構成を示すブロック図である。
【図２】本発明にかかるＩＰ電話システムの第２の実施の形態のアドレス変換装置切り替え前の構成を示すブロック図である。
【図３】本発明にかかるＩＰ電話システムの第２の実施の形態のアドレス変換装置切り替え後の構成を示すブロック図である。
【図４】本発明にかかるＩＰ電話システムの第３の実施の形態の構成を示すブロック図である。
【符号の説明】
【００５５】
１００  ＳＩＰサーバ（呼処理装置）
１０１  ＶｏＩＰ用アドレス変換装置（ＮＡＰＴ装置）
１０４  プライベート網
１０５  グローバル網
１０６  アドレス変換情報
１０７  生死状態の監視機能
１０８  ＩＰ電話端末
１０９〜１１１  プライベート網
１１２  ＶＬＡＮ
【図１】
2005072817.tif 000003
【図２】
2005072817.tif 000004
【図３】
2005072817.tif 000005
【図４】
2005072817.tif 000006